(57)【要約】【課題】擬似基地局による接続試験において、どの時間経過において接続状態がどのセルへ遷移し、その遷移が成功か不成功かを、視覚視認できるようにするとともに、併せて試験の進捗状況を視認できるようにすることを目的とする。【解決手段】擬似基地局試験において、予定マーカ生成手段及び座標生成手段が、移動体通信端末のセル間の接続遷移の予定を時間経過において視認できるように表示し、かつ判定手段が実際の試験において遷移が成功、不成功かを判定した結果を受けて、受信マーカ生成手段が、予定された前記時間経過の中に表示する構成とした。【選択図】    図１
2004289679.tif 000002
【特許請求の範囲】
【請求項１】
セル方式の移動体通信端末に対して、複数のセル相当の信号を発生し、それらの強度を予定された時間経過に応じて変化させて送り、前記移動体端末からの信号を受信した前記移動体通信端末が、前記強度の変化に応じてどのセルに接続されているか、その接続状態を確認する送受信手段（４）と、
前記移動体通信端末に対しての強度変化をさせた信号の送信から前記接続状態の確認までの時間を測定する受信測定手段（４）と、
前記受信測定手段から測定結果を受けて、前記移動体通信端末の前記接続状態が前記時間経過に対応して予定通りにセル間を遷移しているかどうか判定する判定手段（６）と、
表示手段（７）と、
前記判定手段からの判定結果と、前記時間経過に応じた前記移動体通信端末１の接続状態のセル間の遷移とを、同一座標上で視覚認識可能に前記表示手段に表示する表示制御手段（８）と
を備えたことを特徴とする移動体通信端末試験装置。
【請求項２】
前記送受信手段は、少なくとも２つのセル相当の信号の強度を変化させ、前記表示制御手段は、前記表示手段に少なくとも前記２つのセルに対応する前記時間経過を表す前記座標を表示し、その座標上に前記時間経過に応じて接続状態が遷移するたびに前記判定結果を表す受信マーカを付す手段（８ｃ、８ｄ）とを備えた請求項１記載の移動体通信端末試験装置。
【請求項３】
前記表示制御手段は、前記予定された接続状態の遷移を予め前記表示手段の前記座標上に予定マーカとして表示する手段（８ｂ）を備えた請求項２記載の移動体通信端末試験装置。
【請求項４】
セル方式の移動体通信端末の接続状態を、予定された時間経過の中で擬似的に複数セル間を遷移させる試験を行う移動体通信端末試験方法において、
前記遷移を予定されている複数のセルに対応する前記時間経過を表す座標を表示するとともに、前記予定されている遷移の状態を前記時間座標上に視覚認識可能に表示する段階と、
前記遷移が予定される複数のセル相当の信号を発生し、それらの強度を予定された時間経過に応じて変化させて送る送信段階と、
前記移動体通信端末が前記強度の変化に応じてどのセルに接続されているか、その接続状態を確認する受信段階と、
前記受信段階での確認結果から、前記移動体通信端末の前記接続状態が前記時間経過に対応して予定通りにセル間を遷移しているかどうか判定する判定段階と、前記判定段階での判定結果を、前記時間経過に応じて前記移動体通信端末の接続状態の遷移とともに、前記座標上に視覚認識可能に表示する表示制御段階と
を備えたことを特徴とする移動体通信端末試験方法。
【発明の詳細な説明】
【０００１】
【発明の属する技術分野】
本発明は、移動体通信端末と通信接続可能な擬似基地局機能を有し、セル（各基地局のサービスエリアの単位）間を移動するセル方式の移動体通信端末を想定し、そのセル間の移動に対応して、移動体通信端末１の接続状態が適切にセル間を遷移しているかを試験するための移動体通信試験装置及びその試験方法に係り、特に、セル間を遷移して受信するときの接続状態又は／及び試験の進捗状況を視覚認識可能にした技術に関する。
【０００２】
【従来の技術】
従来、移動体通信端末１を用いた通信方式には、図６のように各基地局１、２、３，４・・は、それぞれセルと呼ばれるサービスエリアである、セル１、２、３、４・・に当該移動体通信端末１が入ったときに、登録し、通信可能にしている。例えば、移動体通信端末１がセル１からセル２へ移動したとき、セル１とセル２がダブリの基地局１及び２の双方から通信サービスが得られる場合は、いずれか到来電波の電力の大きい方、或いは双方を利用することができる。
【０００３】
移動体通信端末１が製造されたとき、上記のようなセル間を移動したときに携帯端末が自動的に基地局１から基地局２へ接続状態を切り替える（以下、「接続状態の遷移」と言う。）が、その切り替えが正しく実施されるかどうか、そのときの品質、例えばデータの誤り率はどうかを試験する必要がある。
【０００４】
そのため、試験にあたっては、移動体通信端末１は移動できず位置が固定なので、試験器側において、セル１、２、３，４・・・相当の試験信号を発生し、その通信方式に沿ったプロトコルで移動体通信端末１と擬似的に通信し、接続状態の遷移及び品質を試験する方法がなされている。つまり、擬似基地局を構成して、移動体通信端末１と通信し試験するものがある。
【０００５】
このような通信方式における試験方法として、例えば、Ｗ−ＣＤＭＡの通信方式における規則である、非特許文献に記載の規則にしたがったＲＲＭ（Ｒａｄｉｏ  Ｒｅｓｏｕｒｃｅ  Ｍａｎｅｇｅｍｅｎｔ）試験、簡単に言い換えれば、基地局との接続試験、或いは、手順試験（Ｐｒｏｃｅｄｕｒｅ  Ｔｅｓｔ）がある。
【０００６】
図７に、その試験の従来の構成を示す。図７において、送受信手段３は、セル１、２、３、４・・に相当する各送受信機の機能を有するとともに、その送受信機の機能は、当然ながら基地局同様に移動体通信端末１と所定のプロトコルで必要なメッセージを交わして通信接続を行う機能を含む。受信測定手段４は、上記送受信機の機能とともに、その通信接続を通して移動体通信端末１から送られてくる信号を分析測定して、移動体通信端末１における接続状態の遷移の確認、品質を試験する。なお、送受信手段３と受信測定手段４とは、時間的に同期するようにされている。
【０００７】
受信測定手段４は、時間測定等の機能を有する。移動体通信端末１は、無線の伝播信号で送受信するため、無線周波数領域で伝播信号の特性を試験するためのスペクトラム、帯域、電力測定等（これらを測定可能なスペクトラムアナライザー等を内蔵している。）を測定できるようにされている。時間測定は、移動体通信端末１からの信号を受けて、その時刻を測定する。例えば、スペクトラムアナライザーで移動体通信端末１からの受信周波数を中間周波数に変換し、その周波数にて時間掃引することにより、オシロスコープ同様の時間領域測定を行って、時間を測定する。
【０００８】
上記のように、送受信手段３及び受信測定手段４は、擬似基地局機能と測定機能（試験機能）とを併せ持っている。以下、送信手段３及び受信測定手段４を併せたものを一括して、擬似基地局ということがある。
【０００９】
結合手段２は、ケーブルで双方向に接続してもよいし、アンテナを介して、接続してもよい。
【００１０】
試験手順制御手段５は、上記した通信方式における試験方法、例えば、Ｗ−ＣＤＭＡのＲＲＭ試験手順に沿って、擬似基地局を制御する。
【００１１】
特に、上記のように移動体通信端末１がセル間を移動したとき、移動体通信端末１は、所定の時間経過内において、受信切り替え、登録を済まして、所定の品質で受信できるように遷移することが定められているので、これらのシーケンシャル動作を満足しなければならない。したがって、試験手順制御手段５は、時間設定手段５ａを有し、擬似基地局に対して、規則に沿ったシーケンシャル動作を行わせるものである。
【００１２】
判定手段６は、試験手順制御手段５の時間設定手段５ａで設定された通りに擬似基地局が動作しているとき、移動体通信端末１における接続状態のセル間の遷移が所定時間内に行われているかどうかを判定する。
【００１３】
この繰り返しを多数回、例えば１０００回行われ、統計的に判断され、その結果を数値データで表示手段７等に出力されていた。
【００１４】
【非特許文献】
「３ＧＰＰ  ＴＳ  ３４．１２１」、Ｖ３．１１．０、２００２年１２月、３ＧＰＰ  Ｏｒｇａｎｉｚａｔｉｏｎａｌ  Ｐａｒｔｎｅｒｓ（ＡＲＩＢ，ＣＷＴＳ，ＥＴＳＩ，Ｔ１，ＴＴＡ，ＴＴＣ）、フランス、Ｐ．３１６〜３３０
【００１５】
【発明が解決しようとする課題】
上記の従来技術では、表示手段７への表示は、各測定項目に応じた数値データで表示されていた。したがって、例えば、１０００回試験したときの予定されたセル間の接続の遷移の成功（片方のセルを離脱して、他のセルへの接続成功）、不成功（片方のセルからの離脱エラー、他のセルへの接続エラー）の割合を表示する。或いは不成功の前記割合が所定の許容範囲を超えたことと、その回数を表示する等が行われていた。
【００１６】
このような数値データだけであると、試験の進行経過が把握しにくい。また、どこで接続エラー、どのような状態（時間経過）で接続エラーが起きているかを把握しにくい。一方、このような接続の成功、不成功の確認と、進行状況の把握を視覚的に認識できることが望まれていた。
【００１７】
本発明の目的は、移動体通信端末１の擬似基地局による接続試験において、移動体通信端末１のセル間の接続遷移が予定されていた通りに行われたかどうかを判定し、その結果を接続状態の遷移と合わせて表示することにより、どの時間経過において接続状態がどのセルへ遷移し、その遷移が成功か不成功かを、視覚視認できるようにするとともに、併せて試験の進捗状況を視認可能にすることが目的である。
【００１８】
【課題を解決するための手段】
上記目的を達成するために、セル方式の移動体通信端末に対して、複数のセル相当の信号を発生し、それらの強度を予定された時間経過に応じて変化させて送り、前記移動体端末からの信号を受信した前記移動体通信端末が、前記強度の変化に応じてどのセルに接続されているか、その接続状態を確認する送受信手段（４）と、前記移動体通信端末に対しての強度変化をさせた信号の送信から前記接続状態の確認までの時間を測定する受信測定手段（４）と、前記受信測定手段から測定結果を受けて、前記移動体通信端末の前記接続状態が前記時間経過に対応して予定通りにセル間を遷移しているかどうか判定する判定手段（６）と、表示手段（７）と、前記判定手段からの判定結果と、前記時間経過に応じた前記移動体通信端末１の接続状態のセル間の遷移とを、同一座標上で視覚認識可能に前記表示手段に表示する表示制御手段とを備えた。
【００１９】
請求項２の発明は、前記送受信手段は、少なくとも２つのセル相当の信号の強度を変化させ、前記表示制御手段は、前記表示手段に少なくとも前記２つのセルに対応する前記時間経過を表す前記座標を表示し、その座標上に前記時間経過に応じて接続状態が遷移するたびに前記判定結果を表す受信マーカを付す手段とを備えた。
【００２０】
請求項３の発明は、前記表示制御手段は、前記予定された接続状態の遷移を予め前記表示手段の前記座標上に予定マーカとして表示する手段を備えた。
【００２１】
請求項４の発明は、セル方式の移動体通信端末の接続状態を、予定された時間経過の中で擬似的に複数セル間を遷移させる試験を行う移動体通信端末試験方法において、前記遷移を予定されている複数のセルに対応する時間経過を表す座標を表示するとともに、前記予定されている遷移の状態を前記時間座標上に視覚認識可能に表示する段階と、前記遷移が予定される複数のセル相当の信号を発生し、それらの強度を予定された時間経過に応じて変化させて送る送信段階と、前記移動体通信端末が前記強度の変化に応じてどのセルに接続されているか、その接続状態を確認する受信段階と、前記受信段階での確認結果から、前記移動体通信端末の前記接続状態が前記時間経過に対応して予定通りにセル間を遷移しているかどうか判定する判定段階と、前記判定段階での判定結果を、前記時間経過に応じて前記移動体通信端末の接続状態の遷移とともに、前記座標上に視覚認識可能に表示する表示制御段階とを備えた。
【００２２】
【発明の実施の形態】
本発明は、上記説明したように移動体通信端末１のセル間の接続状態の遷移を所定の時間経過の中で試験するにあたり、その時間経過の中で試験の進行する状況をマップ状に視覚認識でき、かつその接続状態の遷移の成功もしくは失敗が視覚認識できるようにすることで、試験経過中における動作エラーを直接的に把握できるようにしたことが特徴である。
【００２３】
以下、その特徴を図を基に説明する。図１は本発明の機能構成を示す図である。図２から図５は、移動体通信端末１のセル間における接続状態の遷移の例を説明する図である。
【００２４】
図１を基に本発明の機能構成を説明する。図１において、従来技術で説明した図８と同一符号のものは、機能も同一であるので、判定手段を除き説明を省略する。
【００２５】
図１において、判定手段６は、移動体通信端末１における接続状態のセル間の遷移が所定時間内に行われているかどうかを判定するが、擬似基地局と通話を行う試験においては、そのメッセージ内容も判断している。判断するときに基準となる時間及びメッセージは、試験手順制御手段５から予め受ける。
【００２６】
表示制御手段８は、本発明の特徴部を成し、データ表示制御手段８ａ、予定マーカ生成手段８ｂ、受信マーカ生成手段８ｃ及び座標生成手段８ｄを含み構成されている。データ表示制御手段８ａは、従来同様、判定手段６が１０００回の試験で判定した結果に係る数値データ、或いは送受信手段３と受信測定手段４が測定した測定値等を表示する。
【００２７】
座標生成手段８ｄは、予め試験手順制御手段５が、例えば、Ｗ−ＣＤＭＡの通信方式における規則、３ＧＰＰ  ＴＳ  ３４．１２１に沿って記憶している計測手順にしたがって、表示手段７の表示画面に予め予定されている測定の結果を表示するための、座標を形成する。例えば、図２に示すようにセル１、２、３・・を横軸とし、縦軸を時間経過に応じて遷移する状態を示す時間軸とする２次元座標空間を準備する。図２（Ａ）は、試験計画としては、移動体通信端末１は、セル１及びセル２間を遷移し、アイドル、基地局への位置登録、Ｔ１、Ｔ２の遷移を予定しているので、それらの時間を表示する。したがって、座標生成手段８ｄ、予め画面上に座標位置を計算する算出手段を持っている。座標情報は、次に説明する予定マーカ生成手段８ｂ及び受信マーカ生成手段８ｃにも用いられる。
【００２８】
予定マーカ生成手段８ｂは、試験手順制御手段５の手順にしたがって、時間設定手段５ａが設定する時間情報を受けて、前記座標空間に図２（Ａ）の２本線で示される予定マーカを生成して表示する。図２（Ａ）は、移動体通信端末１は、最初、Ｔ１まではセル２に相当する基地局の信号を受けてそのサービスを受け、Ｔ１からＴ２まで（１５秒間）はセル２の基地局相当の信号を受信してそのサービスを受け、Ｔ２から終了まで（１５秒間）は、再びセル２のサービスを受ける試験を行う予定を示す。前記２本線の予定マーカの位置がその接続状態の遷移予定を示している。
【００２９】
受信マーカ生成手段８ｃは、前記座標空間に予定マーカ生成手段８ｂが生成して表示している予定マーカの上に、判定手段６が判定した判定結果を表示する。図２（Ａ）において、○の受信マーカは、遷移が予定時間内に遷移し完了していることを示す（この場合は、セル２が最初に受信していることを示す。）。●は、現時刻がＴ１からＴ２の時間帯にあって、既に予定された時間内にセル２相当の信号からセル１相当の信号受信に切り換わったことを示すとともに、試験の現在の時刻位置を示すことになり、〇印とともに、試験の進行状態を示してもいる。図２（Ｂ）は、×印によって、Ｔ２後にセル１から再びセル２の受信に切り換えることを失敗した例を示している。
【００３０】
（実施例１）
図１及び図３を用いて、本発明の動作の流れを説明する。
【００３１】
▲１▼試験を開始する。予め試験手順制御手段５及び時間設定手段５ａが、通信方式における規則における計測手順にしたがって、各部を制御する。座標生成手段８ｄは、時間設定手段５ａからの試験の時間予定情報を受けて、図３（Ａ）のように、表示手段７の表示画面にセルと時間座標を表示する。また、予定マーカ生成手段８ｂが、予め予定されている遷移の状態を表す２本線のマーカを時間座表上に表示する。この場合は、Ｔ１までセル２相当の信号を受信し、Ｔ１からＴ２まではセル１相当の信号、それ以降は、再びセル１相当の信号を受信することが予定されていることが分かる。
【００３２】
▲２▼送信手段３が試験手順制御手段５からの指示に従い、その中の送受信機２がセル２相当の信号を他のセル相当（他の送受信機１、３、４・・）より大きな強度で移動体通信端末１へ送る。なお、移動体通信端末１は、より大きな強度（レベル、パワー）の信号を受信するように設計されている。試験手順制御手段５からこの送受信機２の出力状態を示す情報を受けた予定マーカ生成手段８ｂは、当初の予定マーカを図３（Ｂ）のように、送受信機２が送信している状態を示すマーカに変更する。
【００３３】
▲３▼移動体通信端末１は、セル２相当の信号を受信する準備のアイドルを開始する。送受信手段３は、アイドル開始を示す信号を移動体通信端末１より受信し、判定手段６を介して、受信マーカ生成手段８ｃへ通知する。通知を受けた受信マーカ生成手段８ｃは、図３（Ｂ）のアイドルと登録の間の時間帯で、セル２の時間軸上にアイドルの成功を示す●を付す
【００３４】
▲４▼さらに、移動体通信端末１は、擬似基地局を担う受信測定手段４に対して、位置登録を行う。その結果を受けた受信マーカ生成手段８ｃは、図３（Ｃ）のように登録とＴ１の時間軸状に現在、成功した旨を示す●を表示する。なお、図３（Ｃ）の〇は、●を付した時刻においては、既にアイドルが成功裏に完了したことを示す。ここまでは、判定手段６は、判定していない。
【００３５】
Ｔ１時には、図３（Ｃ）に示すようにセル１相当の送受信機１が、送受信機２より送信強度が強くなったので、予定マーカ（送信中）を表示されている。したがって、移動体通信端末１がセル１相当の信号を送受信機１から受信し、接続状態をセル２からセル１に変えようとしている。
【００３６】
▲５▼送受信手段３が、移動体通信端末１がセル２からセル１へ接続状態の遷移を検出した結果を出力し、受信測定手段４が移動体通信端末１がセル２からセル１へ接続状態を遷移するまでの時間を測定し、その測定て結果を出力し、それらの結果を受けた判定手段６が時間設定手段５ａからの時間情報を参照してＴ１からＴ２の１５秒間内に遷移したと判断すれば、●を付す（不図示）。ただし、受信測定手段４からの結果が予定の１５秒経過後にきたときは×を付す（不図示）。×を付したときは、試験を中断させ、その原因を調査できるように構成としてもよい。
【００３７】
▲６▼このようにして終了まで行う。このアイドルから終了までの試験を繰り返し１０００回行う。当然ながら、途中、遷移に失敗しても、続けて試験してもよい。
【００３８】
（実施例２）
実施例２は、実施例１の接続状態の遷移に加え、さらにメッセージの交換を含む通話状態が遷移する例を示す。この場合は、セル間の遷移に加え、同一セルの動作状態の遷移も含めて表示する例でもある。
【００３９】
図１及び図４を基に第２実施例を説明する。図４は、第２実施例に試験の表示例である。先に、この図４の概要を説明しておく。横軸がセル名、縦軸が予定されている試験の時間経過を示す。この中で、２本線で示したのが擬似基地局からコントロール情報だけ送信する状態、太い黒線は通話を行う状態を示す（いずれも予定である。）。●は、現時点での成功、〇は、過去の成功、×は現時点の失敗、白抜きの２本線の×は、過去の失敗を示す。図４は、現在、終了までの試験を完了したときのものである。
【００４０】
（１）試験手順制御手段５が予め所有している手順にそって、各部に対して制御を行うが、その時間経過は時間設定手段５ａで設定されている。
（２）座標生成手段８ｄ及び予定マーカ生成手段８ｂが、時間設定手段５ａからの情報を基に、図４の受信マーカが無い状態の表示を行う。そして、送受信機１が、Ｔ１から送信し始め、送受信機２は、Ｔ２から送受信機１と同じ信号強度（レベル）で送信する。
【００４１】
（３）移動体通信端末１は、アイドルを始め、送受信機１から送信された信号（セル１相当の信号）の受信を開始する。そして、擬似基地局に対する位置登録、「呼」（ｃａｌｌ）設定、測定の各項目をこなしていく。移動体通信端末１が、順次処理していく結果を、送受信手段３と受信測定手段４が受けて、受信マーカ生成手段８ｃに送り、処理した時刻に●を付していく（図４は、終了の時間から見ているので〇になっている。以下、同じ）。
【００４２】
（４）Ｔ２では、擬似基地局は、送受信機１を通して、移動体通信端末１に対して、移動体通信端末１が送受信機２のから送信された信号（セル２相当の信号）を認識しているかどうかについての「ＲＥＰＯＲＴ」を要求し、これに対するＲＥＰＯＲＴを送受信手段３が受けて判定手段６へ受信結果を送る。判定手段６は、受信結果を受けて、移動体通信端末１が、Ｔ２とＴ３の間（３秒間）に報告してきたか、ＲＥＰＯＲＴ内容が「認識」であるかどうか判断してＯＫであれば●、いずれかが満たさなければ×を付す。
【００４３】
（５）移動体通信端末１は、Ｔ３−Ｔ４間において、送受信機１及び２双方と通話可能な状態を切り換える。判定手段６は、この状態を送受信手段３から受け、その切り替え時間がＴ３−Ｔ４間（２秒以内）で行われたか否かを判定し、結果を受信マーカ生成手段８ｃに送り、●又は×で表示させる。図５には白抜き×をつけた例を示す。
【００４４】
（６）試験手順制御手段５は、送受信機１及び２に対して、移動体通信端末１へ送受信機１及び送受信機２（擬似基地局１及び擬似基地局２）と通話状態かどうかの確認のメッセージを送らせる。それに対して、移動体通信端末１からのメッセージを送受信手段３を介して受けた判定手段６は、時間がＴ５−Ｔ６間（０．０６秒）であり、メッセージが「通話状態」であれば成功と判断し、そうでなければ失敗と判断する。その結果は、受信マーカ生成手段８ｃにより表示手段７に表示される。
【００４５】
（７）Ｔ５において、送受信機１の送信信号の強度が下げられるので、移動体通信端末１が接続状態を送受信機１及び送受信機２の双方の信号を受信していた状態から送受信機２のみの受信状態へ切り替わるとともに、送受信手段３が移動体通信端末１からの信号を受けて判定手段６で誤り率を測定する。切り替わりの時間及び誤り率が規定値以下（正常）かどうかを判定手段６が判定して、受信マーカ生成手段８ｂを通して、表示手段７に●又は×の印を付けさせる。
【００４６】
（８）Ｔ１から終了までの試験を例えば１０００回行う。これは統計的に判断するために行われる。
【００４７】
なお、図５のように、各時間間隔における成功（或いは失敗）の確率（或いは度数）を表示することもできる。そのためには、統計処理手段９が、判定手段６の判定結果をカウントして統計処理を行うことによって達成できる。どの過程でエラーが生じやすいかが一目で理解できる効果がある。
【００４８】
なお、図５において、右端に遷移成功率とあるが、メッセージを判定しているときは、その内容判断を含む割合である。また、Ｔ５―Ｔ６では、遷移の成功率ではなく、誤り率測定の結果でもよい。なお、成功率が試験回数全数に対するそのときの成功率で算出し、例えば、全数が１０００回であるが、９００回で合格成功率に達成していれば、その時点で、試験を中止する指令を出すようにしてもよい。
【００４９】
【発明の効果】
以上説明したように本発明によれば、移動体通信端末１の擬似基地局試験において、予定マーカ生成手段及び座標生成手段が、移動体通信端末１のセル間の接続遷移の予定を時間経過において視認できるように表示し、かつ判定手段が実際の試験において遷移が成功、不成功かを判定した結果を受けて、受信マーカ生成手段が、予定された前記時間経過の中に表示する構成としたので、擬似基地局による接続試験において、どの時間経過において接続状態がどのセルへ遷移し、その遷移が成功か不成功かを、視覚視認できるようにするとともに、併せて試験の進捗状況を視認できる効果がある。
【図面の簡単な説明】
【図１】本発明の機能構成を示す図である。
【図２】移動体通信端末１のセル間における接続状態の遷移の例を説明する図である。
【図３】移動体通信端末１のセル間における接続状態の遷移のの他の例を説明する図である。
【図４】移動体通信端末１の接続状態及び受信状態の遷移の例を説明する図である。
【図５】移動体通信端末１のセル間における接続状態の遷移の他の例を説明する図である。
【図６】セル（サービスエリア）及び擬似基地局を説明する図である。
【図７】従来技術を説明するための図である。
【符号の説明】
１  移動体通信端末１、  ２  結合手段、  ３  送受信手段、  ４  受信測定手段、  ５  試験手順制御手段、  ５ａ  時間設定手段、  ６  判定手段、
７  表示手段、  ８  表示制御手段、  ８ａ  データ表示制御手段、  ８ｂ  予定マーカ生成手段、  ８ｃ  受信マーカ生成手段、  ８ｄ  座標生成手段、  ９  統計処理手段
【図１】
2004289679.tif 000003
【図２】
2004289679.tif 000004
【図３】
2004289679.tif 000005
【図４】
2004289679.tif 000006
【図５】
2004289679.tif 000007
【図６】
2004289679.tif 000008
【図７】
2004289679.tif 000009